(57)【要約】【課題】  ＬＥＤ照明装置の薄型化のため、カバーの出射方向高さを低く設定しても、該カバーにおける輝度の均一性が確保されたＬＥＤ照明装置を提供すること。【解決手段】  ＬＥＤチップを有するＬＥＤ発光部２と、ＬＥＤ発光部２を固定支持するケース１と、ＬＥＤ発光部２から出射された光を拡散させつつ透過させるカバー３と、を備えるＬＥＤ照明装置Ａ１であって、ケース１は、ＬＥＤ発光部２を固定支持する支持面１１ａと、支持面ａよりもＬＥＤ発光部２の出射方向前方側に突出している凸部１１ｂとを有する。【選択図】  図５
2016091883.tif 000002
【特許請求の範囲】
【請求項１】
ＬＥＤチップを有するＬＥＤ発光部と、
前記ＬＥＤ発光部を固定支持するケースと、
前記ＬＥＤ発光部から出射された光を拡散させつつ透過させるカバーと、を備えるＬＥＤ照明装置であって、
前記ケースは、前記ＬＥＤ発光部を固定支持する支持面と、前記支持面よりも前記ＬＥＤ発光部の出射方向前方側に突出している凸部とを有することを特徴とする、ＬＥＤ照明装置。
【請求項２】
前記支持面を挟んだ両側に、一対の前記凸部が配置されている、請求項１に記載のＬＥＤ照明装置。
【請求項３】
前記ケースが正面視矩形状であって、前記一対の凸部が、前記ケースの二辺に沿って配置されている、請求項２に記載のＬＥＤ照明装置。
【請求項４】
前記凸部は、前記支持面を囲む枠状に配置されている、請求項１に記載のＬＥＤ照明装置。
【請求項５】
前記ケースが正面視矩形状であって、前記凸部が、前記ケースの四辺に沿って配置されている、請求項４に記載のＬＥＤ照明装置。
【請求項６】
端子台と電力変換回路とを含み、かつ前記ケース内に収容されている電源部を備える、請求項１ないし５のいずれかに記載のＬＥＤ照明装置。
【請求項７】
前記電源部の一部が、前記凸部内に収容されている、請求項６に記載のＬＥＤ照明装置。
【請求項８】
前記端子台と前記電力変換回路との一部ずつが、前記凸部内に収容されている、請求項７に記載のＬＥＤ照明装置。
【請求項９】
前記電力変換回路のすべてが、前記凸部内に収容されている、請求項８に記載のＬＥＤ照明装置。
【請求項１０】
前記電力変換回路が、前記ＬＥＤ発光部よりも出射方向前方側の前記凸部内に収容されている、請求項９に記載のＬＥＤ照明装置。
【請求項１１】
端子台と電力変換回路とを含み、かつ前記ケース内に収容されている電源部を備え、
前記端子台と前記電力変換回路との各々の一部ずつが、前記一対の凸部内にそれぞれ収容されている、請求項２または３に記載のＬＥＤ照明装置。
【請求項１２】
前記電力変換回路のすべてが、前記凸部内に収容されている、請求項１１に記載のＬＥＤ照明装置。
【請求項１３】
端子台と電力変換回路とを含み、かつ前記ケース内に収容されている電源部を備え、
前記端子台と前記電力変換回路との各々の一部ずつが、前記支持面を挟んだ両側に位置する前記凸部内にそれぞれ収容されている、請求項４または５に記載のＬＥＤ照明装置。
【請求項１４】
前記ＬＥＤ発光部は、前記ケースの正面視中央に固定支持されている、請求項１ないし１３のいずれかに記載のＬＥＤ照明装置。
【請求項１５】
出射された光の配光角を調整し、かつ前記ＬＥＤ発光部と前記カバーとの間に配置されているレンズを備える、請求項１ないし１４のいずれかに記載のＬＥＤ照明装置。
【請求項１６】
前記レンズは、半球殻状である、請求項１５に記載のＬＥＤ照明装置。
【請求項１７】
前記カバーは、乳白色であり、前記ケースを覆って配置されている、請求項１ないし１６のいずれかに記載のＬＥＤ照明装置。
【請求項１８】
前記ＬＥＤ発光部は、ＬＥＤ基板と、該ＬＥＤ基板に実装された複数のＬＥＤチップと、これらのＬＥＤチップを被覆する封止樹脂と、を備える、請求項１ないし１７のいずれに記載のＬＥＤ照明装置。
【請求項１９】
前記封止樹脂には、前記ＬＥＤチップからの光によって励起されることにより、前記ＬＥＤチップからの光とは異なる光を発する蛍光体が混入されている、請求項１８に記載のＬＥＤ照明装置。
【請求項２０】
前記複数のＬＥＤチップは２ワイヤタイプであり、
隣接する前記ＬＥＤチップどうしが、ワイヤによって直列接続されている、請求項１８または１９に記載のＬＥＤ照明装置。
【発明の詳細な説明】
【技術分野】
【０００１】
本発明は、主として建築物の壁面に設置されるＬＥＤ照明装置に関する。
【背景技術】
【０００２】
近年、我が国においては、白熱灯や蛍光灯に代わり、長寿命で省電力であるＬＥＤを用いた照明装置が普及しつつある。ＬＥＤ照明装置のうち、主として建築物の壁面に取り付けられるＬＥＤ照明装置は、玄関、廊下および浴室などに使用され、装置全体から柔らかな光を発するものが好適である。前記ＬＥＤ照明装置は、壁面より前方に突出した形態で取り付けられるものであるが、空間との調和を考慮し、前記ＬＥＤ照明装置の薄型化が提案されている。
【０００３】
図１７は、特許文献１に開示されている従来のＬＥＤ照明装置を示す要部断面図である。同図に示すＬＥＤ照明装置９０は、ケース９１、ＬＥＤ発光部９２、カバー９３および電源部９４を備えている。ケース９１は、ＬＥＤ照明装置９０の主要部であり、頂板９１ａおよび底板９１ｂを含んでいる。頂板９１ａと底板９１ｂとは、互いに固定されている。ＬＥＤ発光部９２は、ＬＥＤ照明装置９０の光源であり、頂板９１ａの出射方向前面に固定支持されている。カバー９３は、ＬＥＤ発光部９２により出射された光を透過させるものであり、頂板９１ａと互いに固定されている。電源部９４は、ＬＥＤ発光部９２に直流電力を供給する装置であり、頂板９１ａに覆われ、かつ底板９１ｂに固定支持されている。これらに加えて、一般的に、ＬＥＤの特性として出射された光の指向性が強いため、ＬＥＤ発光部９２とカバー９３との間に配光角を調整するレンズが配置されている。図１７は、理解の便宜上、前記レンズを省略している。
【０００４】
ＬＥＤ照明装置９０を薄型化する場合は、通常、カバー９３の出射方向高さを低く設定する。前記高さを低く設定すると、ＬＥＤ発光部９２とカバー９３との離間距離が短くなる。前記離間距離が短くなると、ＬＥＤ発光部９２から出射された光のいわゆるグレアが強くなり、カバー９３における輝度の均一性の確保が困難になる。したがて、ＬＥＤ照明装置９０を薄型化した場合、装置全体から柔らかな光を発することが阻害される懸念がある。
【先行技術文献】
【特許文献】
【０００５】
【特許文献１】特開２０１３−１２７９２２号公報
【発明の概要】
【発明が解決しようとする課題】
【０００６】
本発明は上記事情に鑑み、ＬＥＤ照明装置の薄型化のため、カバーの出射方向高さを低く設定しても、該カバーにおける輝度の均一性が確保されたＬＥＤ照明装置を提供することをその課題とする。
【課題を解決するための手段】
【０００７】
本発明によって提供されるＬＥＤ照明装置は、ＬＥＤチップを有するＬＥＤ発光部と、前記ＬＥＤ発光部を固定支持するケースと、前記ＬＥＤ発光部から出射された光を拡散させつつ透過させるカバーと、を備えるＬＥＤ照明装置であって、前記ケースは、前記ＬＥＤ発光部を固定支持する支持面と、前記支持面よりも前記ＬＥＤ発光部の出射方向前方側に突出している凸部とを有することを特徴としている。
【０００８】
本発明の好ましい実施の形態においては、前記支持面を挟んだ両側に、一対の前記凸部が配置されている。
【０００９】
本発明の好ましい実施の形態においては、前記ケースが正面視矩形状であって、前記一対の凸部が、前記ケースの二辺に沿って配置されている。
【００１０】
本発明の好ましい実施の形態においては、前記凸部は、前記支持面を囲む枠状に配置されている。
【００１１】
本発明の好ましい実施の形態においては、前記ケースが正面視矩形状であって、前記凸部が、前記ケースの四辺に沿って配置されている。
【００１２】
本発明の好ましい実施の形態においては、端子台と電力変換回路とを含み、かつ前記ケース内に収容されている電源部を備える。
【００１３】
本発明の好ましい実施の形態においては、前記電源部の一部が、前記凸部内に収容されている。
【００１４】
本発明の好ましい実施の形態においては、前記端子台と前記電力変換回路との一部ずつが、前記凸部内に収容されている。
【００１５】
本発明の好ましい実施の形態においては、前記電力変換回路のすべてが、前記凸部内に収容されている。
【００１６】
本発明の好ましい実施の形態においては、前記電力変換回路が、前記ＬＥＤ発光部よりも出射方向前方側の前記凸部内に収容されている。
【００１７】
本発明の好ましい実施の形態においては、端子台と電力変換回路とを含み、かつ前記ケース内に収容されている電源部を備え、前記端子台と前記電力変換回路との各々の一部ずつが、前記一対の凸部内にそれぞれ収容されている。
【００１８】
本発明の好ましい実施の形態においては、前記電力変換回路のすべてが、前記凸部内に収容されている。
【００１９】
本発明の好ましい実施の形態においては、端子台と電力変換回路とを含み、かつ前記ケース内に収容されている電源部を備え、前記端子台と前記電力変換回路との各々の一部ずつが、前記支持面を挟んだ両側に位置する前記凸部内にそれぞれ収容されている。
【００２０】
本発明の好ましい実施の形態においては、前記ＬＥＤ発光部は、前記ケースの正面視中央に固定支持されている。
【００２１】
本発明の好ましい実施の形態においては、出射された光の配光角を調整し、かつ前記ＬＥＤ発光部と前記カバーとの間に配置されているレンズを備える。
【００２２】
本発明の好ましい実施の形態においては、前記レンズは、半球殻状である。
【００２３】
本発明の好ましい実施の形態においては、前記カバーは、乳白色であり、前記ケースを覆って配置されている。
【００２４】
本発明の好ましい実施の形態においては、前記ＬＥＤ発光部は、ＬＥＤ基板と、該ＬＥＤ基板に実装された複数のＬＥＤチップと、これらのＬＥＤチップを被覆する封止樹脂とを備える。
【００２５】
本発明の好ましい実施の形態においては、前記封止樹脂には、前記ＬＥＤチップからの光によって励起されることにより、前記ＬＥＤチップからの光とは異なる光を発する蛍光体が混入されている。
【００２６】
本発明の好ましい実施の形態においては、前記複数のＬＥＤチップは２ワイヤタイプであり、隣接する前記ＬＥＤチップどうしが、ワイヤによって直列接続されている。
【発明の効果】
【００２７】
本発明によれば、前記ケースにおいて、前記ＬＥＤ発光部を固定支持する前記支持面と、前記支持面よりも前記ＬＥＤ発光部の出射方向前方側に突出している前記凸部とを有している。前記電源部のうち、比較的体積が大きい部分である前記端子台および前記電力変換回路は、前記凸部内に収容される。これにより、前記支持面の出射方向後方側に余裕空間が生じるため、前記支持面の出射方向位置を、より出射方向後方側へ位置させることができる。すなわち、前記ＬＥＤ発光部と前記カバーとの離間距離がより長く確保されることから、前記ＬＥＤ発光部から前記カバーへの光の出射範囲がより広範となる。したがって、ＬＥＤ照明装置の薄型化のため、前記カバーの出射方向高さを低く設定しても、前記カバーにおける輝度の均一性を確保することができる。
【００２８】
本発明のその他の特徴および利点は、添付図面に基づき以下に行う詳細な説明によって、より明らかとなろう。
【図面の簡単な説明】
【００２９】
【図１】本発明の第１実施形態に基づくＬＥＤ照明装置を示す正面図である。
【図２】図１のＬＥＤ照明装置を示す側面図である。
【図３】図１のＬＥＤ照明装置を示す要部斜視図である。
【図４】図１のＬＥＤ照明装置を示す要部正面図である。
【図５】図４のＶ−Ｖ線に沿う断面図である。
【図６】図１のＬＥＤ照明装置を示す要部背面図である。
【図７】図１のＬＥＤ照明装置を示す要部背面図である。
【図８】図１のＬＥＤ照明装置を構成するＬＥＤ発光部を示す平面図である。
【図９】図８のＩＸ−ＩＸ線に沿う断面図である。
【図１０】図８のＬＥＤ発光部を示す要部拡大平面図である。
【図１１】本発明の第２実施形態に基づくＬＥＤ照明装置を示す要部斜視図である。
【図１２】図１１のＬＥＤ照明装置を示す要部正面図である。
【図１３】図１２のＸＩＩＩ−ＸＩＩＩ線に沿う断面図である。
【図１４】本発明の第３実施形態に基づくＬＥＤ照明装置を示す要部斜視図である。
【図１５】図１４のＬＥＤ照明装置を示す要部正面図である。
【図１６】図１５のＸＶＩ−ＸＶＩ線に沿う断面図である。
【図１７】従来のＬＥＤ照明装置を示す要部断面図である。
【発明を実施するための形態】
【００３０】
本発明に係るＬＥＤ照明装置の実施の形態について、添付図面に基づいて説明する。
【００３１】
〔第１実施形態〕
図１〜図７は、本発明の第１実施形態に基づくＬＥＤ照明装置を示している。本実施形態のＬＥＤ照明装置Ａ１は、ケース１、ＬＥＤ発光部２、カバー３、電源部４およびレンズ５を備えている。ＬＥＤ照明装置Ａ１は、建築物の玄関、または廊下などの壁面に取り付けられることで、いわゆるブラケットライトとして機能する。本実施形態においては、ＬＥＤ照明装置Ａ１は、正面視矩形状である。
【００３２】
図１は、ＬＥＤ照明装置Ａ１を示す正面図である。図２は、ＬＥＤ照明装置Ａ１を示す側面図である。図３は、ＬＥＤ照明装置Ａ１を示す要部斜視図である。図４は、ＬＥＤ照明装置Ａ１を示す要部正面図である。図３および図４は、理解の便宜上、カバー３およびレンズ５を省略している。図５は、図４のＶ−Ｖ線に沿う断面図である。図６および図７は、ともにＬＥＤ照明装置Ａ１を示す要部背面図である。図６は、理解の便宜上、後述する蓋部１６を省略している。
【００３３】
ケース１は、ＬＥＤ発光部２、カバー３、電源部４およびレンズ５を支持、もしくは収容するものである。ケース１は、頂板１１、側板１２、固定部材１３および蓋部１６を備えている。本実施形態においては、ケース１は、正面視矩形状である。
【００３４】
頂板１１は、ケース１の主部材であり、たとえば１枚の金属製の薄板を曲げ加工することで形成される。頂板１１は、ＬＥＤ発光部２から発生する熱を放熱する機能を有する。頂板１１は、支持面１１ａおよび２つの凸部１１ｂを有する。このような構成により、頂板１１は、側面視略Ｍ字形状である。
【００３５】
支持面１１ａは、ＬＥＤ発光部２から発せられる光の出射方向（図５における図中上方）を向いており、正面視矩形状である。本実施形態においては、支持面１１ａの中央に、ＬＥＤ発光部２およびレンズ５が固定支持される。支持面１１ａ上には、ＬＥＤ発光部２およびレンズ５を固定支持する一対の挿入孔１４ｅおよび一対の挿入孔１４ｆがそれぞれ設けられている。一対の挿入孔１４ｅは、ＬＥＤ発光部２の支持領域内に、互いに離間して位置している。一対の挿入孔１４ｆは、ＬＥＤ発光部２を挟んだ両側に、互いに離間して位置している。また、ＬＥＤ発光部２に近接して、貫通孔１５が支持面１１ａ上に設けられている。貫通孔１５に、電源部４とＬＥＤ発光部２とを接続する配線（図示略）が挿通されている。
【００３６】
凸部１１ｂは、支持面１１ａよりも前記出射方向前方側に突出している部分である。本実施形態においては、一対の凸部１１ｂは、支持面１１ａを挟んだ正面視上下両側に、ケース１の二辺に沿って配置されている。一対の凸部１１ｂと後述する側板１２により形成される空間に、電源部４が収容される。理解の便宜上、正面視上側の凸部１１ｂを凸部１１ｂ−１、同下側の凸部１１ｂを凸部１１ｂ−２とそれぞれ定義する。本実施形態においては、凸部１１ｂ−１および凸部１１ｂ−２内に、それぞれ電源部４の一部ずつが収容されている。凸部１１ｂ−１の正面視前面に、挿入孔１４ａ、一対の挿入孔１４ｃおよび一対の挿入孔１４ｄがそれぞれ設けられている。挿入孔１４ａは、ＬＥＤ照明装置Ａ１を建築物の壁面に取り付けるための取付ねじ１７を挿通させる孔で、凸部１１ｂ−１の正面視右上方に位置している。一対の挿入孔１４ｃおよび一対の挿入孔１４ｄは、電源部４の一部および蓋部１６を固定支持する孔で、凸部１１ｂ−１の中央を挟んだ両側に、それぞれ互いに離間して位置している。また、凸部１１ｂ−２の正面視前面に、挿入孔１４ａおよび複数の挿入孔１４ｂがそれぞれ設けられている。挿入孔１４ａは、先述した取付ねじ１７を挿入する孔で、凸部１１ｂ−２の正面視左下方に位置している。一対の挿入孔１４ａは、ＬＥＤ発光部２を挟んだケース１の対角線上に位置している。複数の挿入孔ｂは、電源部４の一部を固定支持する孔で、正面視右方に横列をなして位置している。
【００３７】
側板１２は、頂板１１と同じくたとえば金属製の薄板であり、ケース１の正面視側面に頂板１１に接して固定支持されている。側板１２は、ケース１の形状を確保しつつ、ケース１の剛性を向上させる機能を有する。本実施形態においては、計４枚の側板１２が、凸部１２ｂに接してそれぞれ固定支持されている。
【００３８】
固定部材１３は、ケース１の正面視上面に位置する頂板１１に固定支持されている。固定部材１３は、カバー３をケース１に取り付けるための部材である。
【００３９】
蓋部１６は、電力部４の一部および電源部４とＬＥＤ発光部２とを接続する配線（図示略）を覆い、これらを保護する機能を有する。図７に示すように、蓋部１６は、ケース１の一対の挿入孔１４ｄに挿通されたねじで締結することにより、凸部１１ｂ−１に固定支持されている。
【００４０】
ＬＥＤ発光部２は、ＬＥＤ照明装置Ａ１の光源をなす構成要素である。図８、図９および図１０に示すように、ＬＥＤ発光部２は、ＬＥＤ基板２１、複数のＬＥＤチップ２２、封止樹脂２４、堰部２５およびフレーム２６を備えている。図８は、ＬＥＤ発光部２を示す平面図である。図９は、図８のＩＸ−ＩＸ線に沿う断面図である。図１０は、ＬＥＤ発光部２を示す要部拡大平面図である。
【００４１】
図１０に示すように、ＬＥＤ基板２１は、たとえば平面視矩形状であり、複数のＬＥＤチップ２２が実装されている。ＬＥＤ基板２１の構成は特に限定されないが、本実施形態においては、基材２１ａおよび配線パターン２１ｂを有している。
【００４２】
基材２１ａは、絶縁材料からなり、ＬＥＤ発光部２から発せられる熱の放熱効果を向上させるべく、熱伝導率が高められたガラスエポキシ樹脂やセラミックスからなる。配線パパターン２１ｂは、複数のＬＥＤチップ２２への導通経路を構成する。配線パターン２１ｂは、金属のメッキ層からなり、たとえばＣｕ、Ｎｉ、Ａｕ、Ａｇなどからなる。本実施形態においては、配線パターン２１ｂは、複数のＬＥＤチップ２２との導通をとるためのボンディングパッドと、フレーム２６との導通をとるための接続パッドとを有し、複数のＬＥＤチップ２２を挟んでＬＥＤ基板２１の両側に一対配置されている。前記接続パッドは、図１０において複数のＬＥＤチップ２２を挟んでＬＥＤ基板２１の対角線方向に離間配置された矩形状となっている部分である。
【００４３】
複数のＬＥＤチップ２２は、ＬＥＤ発光部２の発光要素である。ＬＥＤチップ２２は、たとえばＧａＮからなる半導体層を有しており、例えば青色光を発する。本実施形態においては、複数のＬＥＤチップ２２がＬＥＤ基板２１に実装されている。これらのＬＥＤチップ２２は、略マトリクス状に配置されている。ＬＥＤチップ２２は、いわゆる２ワイヤタイプのＬＥＤチップである。本実施形態においては、隣接するＬＥＤチップ２２どうしが、ボンディングワイヤ２３によってすべて直列接続されている。これらのＬＥＤチップ２２の集合体と、配線パターン２１ｂの前記ボンディングパッドとが直接接続されている。複数のＬＥＤチップ２２の配列間隔は、たとえば１．０ｍｍ〜１．７ｍｍである。
【００４４】
封止樹脂２４は、複数のＬＥＤチップ２２を被覆し、堰部２５によって囲まれた領域に充填されている。封止樹脂２４は、たとえばシリコーン樹脂あるいはエポキシ樹脂などの透明な樹脂に、蛍光体が混入された材質からなる。該蛍光体は、ＬＥＤチップ２２からの青色光によって励起されることにより黄色光を発することで、ＬＥＤ発光部２から白色光が出射される。また、ＬＥＤ発光部２から出射される光の演色性を確保するため、前記青色光によって励起されることにより赤色光を発する蛍光体および緑色光を発する蛍光体を、それぞれ混入させてもよい。
【００４５】
堰部２５は、ＬＥＤ基板２１上に形成されており、複数のＬＥＤチップ２２を囲んでいる。本実施形態においては、堰部２５は、平面視矩形環状であり、たとえば白色のエポキシ樹脂からなる。堰部２５の高さは、ＬＥＤチップ２２よりも高い。
【００４６】
フレーム２６は、ＬＥＤ基板２１をケース１の支持面１１ａに固定支持するためのものである。フレーム２６は、本体２６ａおよび一対の電極２６ｂを有している。本体２６ａは、たとえば絶縁性を有する樹脂からなり、図８および図９に示すように、平面視寸法がＬＥＤ基板２１よりも大とされている。また、複数のＬＥＤチップ２２およびこれらを被覆する封止樹脂２４が露出されるよう、本体２６ａは、その中央に開口部が設けられている。一対の電極２６ｂは、ＬＥＤ基板２１の配線パターンの前記接続パッドに各々が接触している。一対の電極２６ｂは、フレーム２６に設けられた一対の外部接続端子（図示略）と導通している。該外部接続端子は、配線接続により電力部４と導通している。フレーム２６の支持面１１ａへの固定支持は、ケース１の一対の挿入孔１４ｅを介して、挿通されたねじによる締結、または嵌合などによってなされる。
【００４７】
カバー３は、ケース１に対して前記出射方向に、ケース１の全体を覆って配置されている。カバー３は、ＬＥＤ発光部２から発せられた光を透過させる。また、本実施形態においては、カバー３は、ＬＥＤ発光部２から発せられた光を拡散させつつ透過させる。カバー３の材質としては、光拡散材用フィラーが混入された透光性を有する樹脂、またはガラスが挙げられる。このような構成により、カバー３は、たとえば乳白色を呈する。
【００４８】
カバー３は、本実施形態においては、正面視矩形状であり、正面部３１、側面部３２および固定ねじ３３を備えている。正面部３１は、出射方向に対し直交する平板状の部位である。側面部３２は、正面部３１を囲んで配置された枠状の部位であり、正面部３１の四辺に接して固定支持されている。固定ねじ３３は、ケース１の固定部材１３と正面視上方の側面部３２とを締結する部品である。
【００４９】
カバー３の正面視形状は、本実施形態における矩形状のみならず、たとえば円形状としてもよい。
【００５０】
電源部４は、外部から供給される交流電力を直流電力に変換し、該直流電力をＬＥＤ発光部２へ供給するものである。電源部４は、端子台４１、電力変換回路４２、端子台４１と電力変換回路４２とを接続する配線（図示略）および電源部４とＬＥＤ発光部２とを接続する配線（図示略）を備えている。
【００５１】
端子台４１は、ＬＥＤ照明装置Ａ１の取り付け位置の壁面に配置されている外部交流電源線（図示略）と接続し、電力変換回路４２へ交流電力を供給する機能を有する。端子台４１は、配線接続により電力変換回路４２と導通している。本実施形態においては、端子台４１は、ケース１の凸部１１ｂ−２内に収容されている。端子台４１は、ケース１の複数の挿入孔１４ｂを介して、挿通されたねじによる締結および嵌合によって、凸部１１ｂ−２に固定支持されている。
【００５２】
電力変換回路４２は、端子台４１から供給された交流電力を、直流電力に変換する機能を有する。電力変換回路４２は、基板と、該基板に設置されたダイオードを含む半導体素子などの電子部品により構成されている。電力変換回路４２により変換された直流電力は、配線接続によりＬＥＤ発光部２（フレーム２６に設けられた一対の外部接続端子（図示略））へと供給される。本実施形態においては、電力変換回路４２は、ケース１の凸部１１ｂ−１内に収容されている。電力変換回路４２は、ケース１の挿入孔１４ｃに挿通されたねじで締結することにより、凸部１１ｂ−１に固定支持されている。
【００５３】
レンズ５は、ＬＥＤ発光部２から出射された光の配光角を調整する機能を有する。本実施形態においては、レンズ５は、前記配光角を広げる機能を果たす。また、本実施形態においては、レンズ５は、半球殻状とされており、たとえば透明の樹脂からなる。レンズ５の支持面１１ａへの固定支持は、ケース１の一対の挿入孔１４ｆを介して、挿通されたねじによる締結、または嵌合などによってなされる。
【００５４】
ＬＥＤ照明装置Ａ１が壁面に取り付けられた状態は、図１および図２に示すとおりとなる。ＬＥＤ発光部２、電源部４およびレンズ５が固定支持されたケース１と、壁面との間に取付板１８を設置の上、ケース１の一対の挿入孔１４ａに挿通された２本の取付ねじ１７で締結することにより、ケース１が壁面に取り付けられる。また、ケース１の固定部材１３とカバー３の正面視上方の側面部３２とを固定ねじ３３で締結することにより、カバー３はケース１に取り付けられる。
【００５５】
次に、ＬＥＤ照明装置Ａ１の作用について説明する。
【００５６】
本実施形態によれば、ケース１において、ＬＥＤ発光部２を固定支持する支持面１１ａと、支持面１１ａよりもＬＥＤ発光部２の出射方向前方側に突出している一対の凸部１１ｂ（凸部１１ｂ−１および凸部１１ｂ−２）とを有している。電源部４のうち、比較的体積が大きい部分である端子台４２および電力変換回路４２は、一対の凸部１１ｂ内に収容される。これにより、支持面１１ａの出射方向後方側に余裕空間が生じるため、支持面１１ａの出射方向位置を、より出射方向後方側へ位置させることができる。すなわち、ＬＥＤ発光部２とカバー３との離間距離がより長く確保されることから、ＬＥＤ発光部２からカバー３への光の出射範囲がより広範となる。したがって、ＬＥＤ照明装置Ａ１の薄型化のため、カバー３の出射方向高さを低く設定しても、カバー３における輝度の均一性を確保することができる。
【００５７】
一対の凸部１１ｂを備えることで、端子台４１と電力変換回路４２との各々を、一対の凸部１１ｂ内にそれぞれ収容することができる。ケース１内に電源部４を収容するためには、出射方向側に十分なクリアランスを確保する必要がある。一対の凸部１１ｂは、支持面１１ａよりもＬＥＤ発光部２の出射方向前方側に突出しているため、前記クリアランスを確保することが容易である。あわせて、端子台４１と電力変換回路４２との各々が、一対の凸部１１ｂ内にそれぞれ収容されることで、ケース１の正面視寸法が過大となることを回避することができる。
【００５８】
ＬＥＤ発光部２を、ケース１の正面視中央に配置することは、カバー３における輝度の均一性を確保する上で、最も好適である。支持面１１ａを一対の凸部１１ｂとの間に配置することで、ケース１の正面視寸法が過大となることを回避しつつ、ＬＥＤ発光部２をケース１の正面視中央に配置することができる。
【００５９】
ＬＥＤ発光部２において、複数のＬＥＤチップ２２が封止樹脂２４により被覆された構成であることにより、ＬＥＤ発光部２は、あたかも面発光しているような外観を呈する。これにより、複数の点光源の存在に起因した、ＬＥＤ照明装置Ａ１の輝度や、ＬＥＤ照明装置Ａ１から物体に照射された光の照度のばらつきが生じることを回避することができる。
【００６０】
電力変換回路４２が、ＬＥＤ発光部２よりも出射方向前方側の凸部１１ｂ内に収容されることで、電力変換回路４２を覆うケース１の蓋部１６の出射方向の高さをより低くすることができる。したがって、ケース１の出射方向の高さをより低くすることが可能であり、ＬＥＤ照明装置Ａ１のさらなる薄型化が可能である。
【００６１】
レンズ５を備えることで、先述したＬＥＤ発光部２からカバー３への光の出射範囲をより広範とする効果が一層高まるため、カバー３における輝度の均一性のさらなる確保が可能である。
【００６２】
図１１〜図１６は、本発明の他の実施の形態を示している。なお、これらの図において、先述した第１実施形態と同一または類似の要素には同一の符号を付して、重複する説明を省略することとする。
【００６３】
〔第２実施形態〕
図１１、図１２および図１３は、本発明の第２実施形態に基づくＬＥＤ照明装置を示している。図１１は、ＬＥＤ照明装置Ａ２を示す要部斜視図である。図１２は、ＬＥＤ照明装置Ａ２を示す要部正面図である。図１１および図１２は、理解の便宜上、カバー３およびレンズ５を省略している。図１３は、図１２のＸＩＩＩ−ＸＩＩＩ線に沿う断面図である。本実施形態においては、ＬＥＤ照明装置Ａ２は、正面視矩形状である。
【００６４】
本実施形態のＬＥＤ照明装置Ａ２は、頂板１１を構成する凸部１１ｂの配置が、先述した第１実施形態と異なっている。本実施形態においては、凸部１１ｂが、頂板１１の支持面１１ａを囲む枠状とされており、ケース１の四辺に沿って配置されている。
【００６５】
本実施形態においては、凸部１１ｂの正面視前面は、すべて出射方向に直交する同一平面上に位置している。また、計２枚の側板１２が、支持面１１ａおよび凸部１１ｂに接してそれぞれ固定支持されている。
【００６６】
このような実施形態によっても、ＬＥＤ照明装置Ａ２の薄型化のため、カバー３の出射方向高さを低く設定しても、カバー３における輝度の均一性を確保することができる。また、凸部１１ｂが、環状に形成されているため、ＬＥＤ照明装置Ａ２の取り付け位置の壁面に配置されている外部交流電源線（図示略）などを、凸部１１ｂ内に効率よく収容することが可能である。したがって、ＬＥＤ照明装置Ａ２の薄型化に加え、正面視寸法の小型化という効果が得られる。
【００６７】
本実施形態においては、レンズ５を備えているが、これに加え凸部１１ｂにおいて、支持面１１ａと隣接し、かつ出射方向に沿った面にリフレクタ部材を設置することで、レンズ５からカバー３にかけて出射される光の損失を低減することができる。
【００６８】
〔第３実施形態〕
図１４、図１５および図１６は、本発明の第３実施形態に基づくＬＥＤ照明装置を示している。図１４は、ＬＥＤ照明装置Ａ３を示す要部斜視図である。図１５は、ＬＥＤ照明装置Ａ３を示す要部正面図である。図１４および図１５は、理解の便宜上、カバー３およびレンズ５を省略している。図１６は、図１５のＸＶＩ−ＸＶＩ線に沿う断面図である。本実施形態においては、ＬＥＤ照明装置Ａ３は、正面視矩形状である。
【００６９】
本実施形態のＬＥＤ照明装置Ａ３は、頂板１１を構成する凸部１１ｂの配置が、先述した第１実施形態および第２実施形態と異なっている。本実施形態においては、１つの凸部１１ｂが、正面視上側に配置されている。
【００７０】
頂板１１は、先述した第１実施形態と同様に、１枚の薄板を曲げ加工することで形成される。また、本実施形態においては、計２枚の側板１２が、支持面１１ａおよび凸部１１ｂに接してそれぞれ固定支持されている。
【００７１】
このような実施形態によっても、ＬＥＤ照明装置Ａ３の薄型化のため、カバー３の出射方向高さを低く設定しても、カバー３における輝度の均一性を確保することができる。また、頂板１１の加工の工数が、先述した第１実施形態よりも少なくなるため、ＬＥＤ照明装置の構造の省力化が可能である。したがって、ＬＥＤ照明装置Ａ３の薄型化に加え、製造コスト縮減という効果が得られる。
【００７２】
本発明に係るＬＥＤ照明装置は、先述した実施形態に限定されるものではない。本発明に係るＬＥＤ照明装置の各部の具体的な構成は、種々に設計変更自在である。
【符号の説明】
【００７３】
Ａ１，Ａ２，Ａ３：ＬＥＤ照明装置
１：ケース
１１：頂板
１１ａ：支持面
１１ｂ，１１ｂ−１，１１ｂ−２：凸部
１２：側板
１３：固定部材
１４ａ〜１４ｆ：挿入孔
１５：貫通孔
１６：蓋部
１７：取付ねじ
１８：取付板
２：ＬＥＤ発光部
２１：ＬＥＤ基板
２１ａ：基材
２１ｂ：配線パターン
２２：ＬＥＤチップ
２３：ボンディングワイヤ
２４：封止樹脂
２５：堰部
２６：フレーム
２６ａ：本体
２６ｂ：電極
３：カバー
３１：正面部
３２：側面部
３３：固定ねじ
４：電源部
４１：端子台
４２：電力変換回路
５：レンズ
【図１】
2016091883.tif 000003
【図２】
2016091883.tif 000004
【図３】
2016091883.tif 000005
【図４】
2016091883.tif 000006
【図５】
2016091883.tif 000007
【図６】
2016091883.tif 000008
【図７】
2016091883.tif 000009
【図８】
2016091883.tif 000010
【図９】
2016091883.tif 000011
【図１０】
2016091883.tif 000012
【図１１】
2016091883.tif 000013
【図１２】
2016091883.tif 000014
【図１３】
2016091883.tif 000015
【図１４】
2016091883.tif 000016
【図１５】
2016091883.tif 000017
【図１６】
2016091883.tif 000018
【図１７】
2016091883.tif 000019